(57)【要約】【課題】ある呼処理制御部が呼処理制御の障害を発生しても他の呼処理制御部で連続的・継続的にトラヒック測定と解析が行えるトラヒック測定方法を提供すること。【解決手段】呼処理監視制御部は障害発生の直前までのトラヒック測定結果および障害発生時のトラヒック測定結果の収集を行うステップと、第１の呼処理制御部が、呼処理制御の障害の回復によりリセットされ再起動したことを呼処理監視制御部に報告するステップと、障害以降において、第１の呼処理制御部がトラヒック測定処理のみが繰り返し行われるように呼処理監視制御部はトラヒック測定開始要求を第１の呼処理制御部に通知するステップとを有し、障害の発生時とその前と以降を含みトラヒック測定の開始から終了までの間の継続的なデータ取得が行われ、かつ、継続的なデータによるトラヒック解析が行えるように構成された。【選択図】      図１
2006319825.tif 000002
【特許請求の範囲】
【請求項１】
無線チャネル管理を行う呼処理監視制御部と、無線チャネル制御、トラヒック測定処理、呼制御などのベースバンド信号処理を行う複数の呼処理制御部とを備え、
前記呼処理監視制御部は前記複数の呼処理制御部に対しトラヒック測定開始要求の通知を行う第１のステップと、
前記複数の呼処理制御部は指定された測定周期毎にトラヒック測定を繰り返して行う第２のステップと、
前記複数の呼処理制御部のうち、無線チャネルを割り当てられた第１の呼処理制御部がトラヒック測定結果を前記呼処理監視制御部に前記測定周期毎に継続して報告する第３のステップと、
前記呼処理監視制御部は前記トラヒック測定結果の報告を受けて、トラヒックの分析などの測定結果収集を行う第４のステップと、
前記第１の呼処理制御部が呼処理制御の障害が発生した場合において前記無線チャネル制御及びトラヒック測定処理を継続して行えなくなったとき、前記呼処理監視制御部は障害検出割り込みを受け付ける第５のステップと、
前記呼処理監視制御部は前記複数の呼処理制御部に対し、前記複数の呼処理制御部のうちから指定された第２の呼処理制御部が前記障害発生以降のトラヒック測定結果を前記呼処理監視制御部に前記測定周期毎に継続して報告させるように、追い出し要求の通知を行う第６のステップと、
前記第１の呼処理制御部は前記障害発生の直前までのトラヒック測定結果を前記呼処理監視制御部に報告し、前記第２の呼処理制御部は前記障害発生時のトラヒック測定結果を前記呼処理監視制御部に報告し、さらに前記障害発以降も継続して報告できるようにする、追い出し処理を行う第７のステップと、
前記呼処理監視制御部は前記障害発生の直前までのトラヒック測定結果および前記障害発生時のトラヒック測定結果の収集を行う第８のステップと、
前記第１の呼処理制御部が、前記呼処理制御の障害の回復によりリセットされ再起動したことを前記呼処理監視制御部に報告する第９のステップと、
前記障害以降において、前記第１の呼処理制御部がトラヒック測定処理のみが繰り返し行われるように前記呼処理監視制御部はトラヒック測定開始要求を前記第１の呼処理制御部に通知する第１０のステップと、
により、前記障害の発生時とその前と以降を含みトラヒック測定の開始から終了までの間の継続的なデータ取得が行われ、かつ、該継続的なデータによるトラヒック解析が行えるように構成された無線基地局装置のトラヒック測定方法。
【発明の詳細な説明】
【技術分野】
【０００１】
本発明は無線伝送方式による伝送監視に関し、特に無線基地局装置のトラヒック測定方法に関するものである。
【背景技術】
【０００２】
図４に無線基地局装置のブロック図を示す。従来の無線基地局装置（１０１）では、無線チャネルのトラヒック測定を行う際に呼処理監視制御部（１０２）が測定対象となる無線チャネルを制御している呼処理制御部を検索し、その呼処理制御部（１０２）に対してのみトラヒック測定要求を行っていた。
図５に示すように、呼処理制御部１（１０３）でトラヒック測定（Ｓ１２、Ｓ１２’）を行っていた場合に呼処理制御部１（１０３）に呼処理制御の障害（Ｚ）が発生し、無線チャネルの制御及び、トラヒック測定が継続できなくなってしまうと、呼処理監視制御部（１０２）からの追い出し要求（Ｓ１５）を基に無線チャネルの制御、トラヒック測定処理を呼処理制御部２（１０４）に移していた。呼処理制御部２（１０４）は受け取った無線チャネルの制御を新たに開始すると同時にトラヒック測定処理を行うが、この時点から呼処理監視制御部（１０２）から指定された測定周期毎に測定を開始するため、呼処理監視制御部（１０２）への通知タイミングに“ずれ”（ｔ）が生じていた。“ずれ”（ｔ）が生じることにより呼処理監視制御部（１０２）は時系列にトラヒックデータを管理することができなくなり、また呼処理制御部１（１０３）が呼処理故障した直前のトラヒック測定値を読み取ることもできないため、呼処理監視制御部（１０２）が集計していたトラヒックデータをメンテナンスツール等で読み取り、トラヒックデータの解析を行っても呼処理制御部１（１０３）の呼処理制御の障害前後の正確な解析が行えなかった。
【０００３】
従来のチャネルデータの信号処理は、通話中の呼を故障した信号処理部から故障していない信号処理部に処理を移す、いわゆる追い出し処理している（例えば、特許文献１参照。）。
【特許文献１】特開２００４−８８２０６号公報
【発明の開示】
【発明が解決しようとする課題】
【０００４】
従来技術の一方の呼処理制御部が呼処理制御の障害等により、他方の呼処理制御部に呼制御を移した場合、呼処理制御の障害を発生した呼処理制御部側で行っていたトラヒック測定処理の測定タイミングと移された他方の呼処理制御部の測定タイミングに“ずれ”が生じてしまい、呼処理制御部の呼処理制御の障害前後で連続的・継続的なトラヒック測定の解析が行えない問題があった。
【０００５】
本発明の目的は、ある呼処理制御部が呼処理制御の障害を発生しても他の呼処理制御部で連続的・継続的にトラヒック測定と解析が行えるトラヒック測定方法を提供することにある。
【課題を解決するための手段】
【０００６】
本発明の無線基地局装置のトラヒック測定方法は、無線チャネル管理を行う呼処理監視制御部と、無線チャネル制御、トラヒック測定処理、呼制御などのベースバンド信号処理を行う複数の呼処理制御部とを備え、
前記呼処理監視制御部は前記複数の呼処理制御部に対しトラヒック測定開始要求の通知を行う第１のステップと、
前記複数の呼処理制御部は指定された測定周期毎にトラヒック測定を繰り返して行う第２のステップと、
前記複数の呼処理制御部のうち、無線チャネルを割り当てられた第１の呼処理制御部がトラヒック測定結果を前記呼処理監視制御部に前記測定周期毎に継続して報告する第３のステップと、
前記呼処理監視制御部は前記トラヒック測定結果の報告を受けて、トラヒックの分析などの測定結果収集を行う第４のステップと、
前記第１の呼処理制御部が呼処理制御の障害が発生した場合において前記無線チャネル制御及びトラヒック測定処理を継続して行えなくなったとき、前記呼処理監視制御部は障害検出割り込みを受け付ける第５のステップと、
前記呼処理監視制御部は前記複数の呼処理制御部に対し、前記複数の呼処理制御部のうちから指定された第２の呼処理制御部が前記障害発生以降のトラヒック測定結果を前記呼処理監視制御部に前記測定周期毎に継続して報告させるように、追い出し要求の通知を行う第６のステップと、
前記第１の呼処理制御部は前記障害発生の直前までのトラヒック測定結果を前記呼処理監視制御部に報告し、前記第２の呼処理制御部は前記障害発生時のトラヒック測定結果を前記呼処理監視制御部に報告し、さらに前記障害発以降も継続して報告できるようにする、追い出し処理を行う第７のステップと、
前記呼処理監視制御部は前記障害発生の直前までのトラヒック測定結果および前記障害発生時のトラヒック測定結果の収集を行う第８のステップと、
前記第１の呼処理制御部が、前記呼処理制御の障害の回復によりリセットされ再起動したことを前記呼処理監視制御部に報告する第９のステップと、
前記障害以降において、前記第１の呼処理制御部がトラヒック測定処理のみが繰り返し行われるように前記呼処理監視制御部はトラヒック測定開始要求を前記第１の呼処理制御部に通知する第１０のステップと、
により、前記障害の発生時とその前と以降を含みトラヒック測定の開始から終了までの間の継続的なデータ取得が行われ、かつ、該継続的なデータによるトラヒック解析が行えるように構成された。
【発明の効果】
【０００７】
（１）呼処理制御部が呼処理制御の障害を発生しても継続してトラヒック測定処理を行うことが可能となる。
（２）呼処理制御部が呼処理制御の障害を発生してもトラヒック測定タイミングの“ずれ”がなくなり連続したデータを得ることができるため、時系列にトラヒックデータを解析することが可能となる。
（３）従って、連続的・継続的なトラヒック測定の解析が行えるので呼のパンクなどを回避させるために精度の高い、速い呼制御が行われるようになり、信頼性の高い通信サービスに寄与するものである。
【発明を実施するための最良の形態】
【０００８】
本発明の実施例を以下に述べる。図４に無線基地局装置のブロック図を示す。
無線基地局装置（１０１）は無線チャネル管理を行う呼処理監視制御部（１０２）、ベースバンド信号処理を行う呼処理制御部１（１０３）および呼処理制御部２（１０４）を備えている。呼処理制御部１，２（１０３、１０４）は無線チャネルリソースをチャネルに割り当ててベースバンド信号処理を行う。更に、移動体などとアンテナを介しての無線通信を行う無線送受信部（１０５）、陸上固定回線と有線通信を行う有線制御部（１０６）とを備え以下に説明する無線基地局装置のトラヒック測定方法が行えるものである。
【０００９】
本発明の実施例として、図１〜図３を示し、図２にトラヒック測定処理の開始から正常動作範囲のトラヒック測定処理フローを示す。
第１のステップ（Ｓ１）は、呼処理監視制御部（１０２）が複数の呼処理制御部に対しトラヒック測定開始要求の通知を行う処理である。
Ｓ１では、無線チャネルが割り当てられている呼処理制御部１（１０３）に対してのみならず、呼処理制御部２（１０４）にも同時に通知される。これは、測定対象の無線チャネルが呼処理制御部２（１０４）に制御が移った後でも継続してトラヒック測定が行えるようにするためである。
第２のステップ（Ｓ２）は、複数の呼処理制御部が指定された測定周期毎にトラヒック測定を繰り返して行う処理である。
Ｓ２では、呼処理制御部１（１０３）及び呼処理制御部２（１０４）が、呼処理監視制御部（１０２）からのトラヒック測定開始要求に対し、測定結果報告タイマが起動して、指定された測定周期毎に従い１回あたりのトラヒック測定処理を開始・終了させる測定処理起動のステップである。このようにしてつぎつぎと、測定結果報告タイマ起動⇒測定処理起動のステップＳ２’が行われ、以下同様にＳ２ステップが繰り返されて継続される。
第３のステップ（Ｓ３）は、複数の呼処理制御部のうち、無線チャネルを割り当てられた呼処理制御部１（１０３）がトラヒック測定結果を呼処理監視制御部（１０２）に測定周期毎に継続して報告する処理である。
Ｓ３では、呼処理制御部１（１０３）に割り当てられている無線チャネルすなわち、測定対象が存在する呼処理制御部１（１０３）が指定された測定周期毎に呼処理監視制御部（１０２）にトラヒック測定結果の報告するステップである。このようにして、次の測定結果報告Ｓ３’が行われ、以下同様につぎつぎとＳ３ステップが繰り返されて継続される。
なお、測定対象が存在しない呼処理制御部２（１０４）は、呼処理監視制御部（１０２）に測定結果の通知は行わないが、Ｓ２ステップのトラヒック測定処理は、呼処理制御部１（１０３）と並行して行われ、以降も同様にＳ２’ステップのように並行動作が繰り返されて継続される。
第４のステップ（Ｓ４）は、呼処理監視制御部（１０２）がトラヒック測定結果の報告を受けて、トラヒックの分析などの測定結果収集を行う処理である。
Ｓ４では、呼処理監視制御部（１０２）において、トラヒック測定開始要求を出力したのち測定結果収集タイマが起動され、そのタイマが起動内に、トラヒックの測定結果報告を受ければ測定結果の収集処理を行う測定結果収集のステップである。更に、次の測定結果収集Ｓ４’が行われ、以下同様にＳ４ステップが繰り返されて継続される。
以上が呼処理監視制御部（１０２）と呼処理制御部１（１０３）を主にし、呼処理制御部２（１０４）を従にされた正常処理が行われる。
【００１０】
図１に呼処理制御部の障害発生時のトラヒック測定継続処理フローを示す。
図２で示されたように、トラヒック測定開始要求のステップＳ１、測定処理起動Ｓ２、測定処理起動Ｓ２’、測定結果報告Ｓ３、測定結果報告Ｓ３’、測定結果収集Ｓ４、測定結果収集Ｓ４’までは、トラヒック測定処理の開始から正常動作のトラヒック測定処理フローなので同じである。
Ｚは、呼処理制御部１（１０３）に無線チャネルが割り当てられ、その無線チャネルに対しトラヒック測定を行っている最中（測定結果報告Ｓ３’の直後）の呼処理制御部１（１０３）において呼処理制御の障害が発生し、呼処理障害（ＡＬＭ発報）の状態である。
第５のステップ（Ｓ５）は、呼処理制御部１（１０３）が呼処理制御の障害を発生させ無線チャネル制御及びトラヒック測定処理を継続して行えなくなった場合、呼処理監視制御部（１０２）が障害検出割り込みを受け付ける処理である。
Ｓ５では、呼処理監視制御部（１０２）が呼処理制御部１（１０３）でのＡＬＭ発報を検知して異常処理としての割り込みを受け付ける障害検出割り込み発生の状態を受け付ける。
第６のステップ（Ｓ６）は、呼処理監視制御部（１０２）が複数の呼処理制御部に対し、複数の呼処理制御部のうちから指定された呼処理制御部２（１０４）が障害発生以降のトラヒック測定結果を呼処理監視制御部（１０２）に測定周期毎に継続して報告させるように、追い出し要求の通知を行う処理である。
Ｓ６では、呼処理監視制御部（１０２）が無線チャネル制御、トラヒック測定の継続のため呼処理制御部１（１０３）、呼処理制御部２（１０４）に追い出し要求を行い、呼処理制御部２（１０４）は呼処理制御部２（１０４）に対して無線チャネル制御の引継ぎを行なわせる追い出し要求を行っている。
第７のステップ（Ｓ７）は、呼処理制御部１（１０３）が障害発生の直前までのトラヒック測定結果を呼処理監視制御部（１０２）に報告し、呼処理制御部２（１０４）が障害発生時のトラヒック測定結果を呼処理監視制御部（１０２）に障害発以降は継続して報告できるようにする、追い出し処理を行う処理である。
Ｓ７では、呼処理制御部２（１０４）から呼処理制御部２（１０４）への無線チャネル制御の引継ぎを行なう呼処理制御部２（１０４）、呼処理制御部２（１０４）の追い出し処理を実行している。
更にＳ７では、呼処理制御部１（１０３）が呼処理制御の障害により無線チャネル制御及び、トラヒック測定が継続できない場合、呼処理監視制御部（１０２）は、呼処理制御部１（１０３）に対し、トラヒック測定値読み出し要求を行い、呼処理制御の障害となった直前までのトラヒック測定結果の取得を行う準備としてのトラヒック測定値読み出し要求を行っている。
この読み出し要求に従い、Ｓ７では、呼処理制御部１（１０３）が呼処理制御の障害となった直前までのトラヒック測定結果の報告を呼処理監視制御部（１０２）に行う。
なお、呼処理制御部１（１０３）は呼処理制御の障害となった場合でも、障害発生前までの測定結果の報告は可能である。
また、Ｓ７では、呼処理制御部２（１０４）が測定・報告の実行対象が呼処理制御部２（１０４）に移ったため、障害時のトラヒック測定結果の報告を呼処理監視制御部（１０２）に行う。
なお、呼処理制御部１（１０３）が呼処理制御の障害となった場合でも、障害発生前までの測定結果の報告は可能である。
第８のステップ（Ｓ８）は、呼処理監視制御部（１０２）が障害発生の直前までのトラヒック測定結果および障害発生時のトラヒック測定結果の収集を行う処理である。
以降、呼処理監視制御部（１０２）と呼処理制御部２（１０４）とが測定周期毎に測定結果を報告・収集する処理が継続される。
【００１１】
図３に呼処理制御部の障害復旧後のトラヒック測定継続準備フローを示す。
Ａは、呼処理制御の障害となっていた呼処理制御部１（１０３）がリセットされ再起動された状態である。
第９のステップ（Ｓ９）は、呼処理制御部１（１０３）が、呼処理制御の障害が回復しリセットされ再起動したことを呼処理監視制御部（１０２）に報告する処理である。
Ｓ９では、呼処理制御部１（１０３）が再起動した際に、呼処理監視制御部（１０２）へ再起動した旨を通知する障害回復報告（ＡＣＴ通知）を行う。
第１０のステップ（Ｓ１０）は、障害以降において、呼処理制御部１（１０３）がトラヒック測定処理のみが繰り返し行われるように呼処理監視制御部（１０２）はトラヒック測定開始要求を呼処理制御部１（１０３）に通知する処理である。
Ｓ１０では、呼処理制御部１（１０３）がトラヒック測定処理を再開して継続できるように呼処理監視制御部（１０２）はトラヒック測定要求を呼処理制御部１（１０３）に行うトラヒック測定開始要求の通知をする。
以降は、呼処理監視制御部（１０２）と呼処理制御部２（１０４）を主にし、呼処理制御部１（１０３）を従にされた正常処理が行われる。
呼処理制御部の数が２以上であっても、本発明の無線基地局装置のトラヒック測定方法が成り立つことは云うまでもない。
無線基地局装置のトラヒック測定方法は、以上の第１のステップ（Ｓ１）から第１０のステップ（Ｓ１０）によりトラヒック測定の開始から障害前後範囲を含めた終了までの間の継続的なデータ取得が行えるので、連続的・継続的なトラヒック測定の解析が行える構成とした処理である。
【産業上の利用可能性】
【００１２】
以上の無線基地局装置のトラヒック測定方法は無線基地局装置に組み込まれて、移動体の通信事業に利用される。
【図面の簡単な説明】
【００１３】
【図１】図１に呼処理制御部の障害発生時のトラヒック測定継続処理フローである。
【図２】図２にトラヒック測定処理の開始から正常動作のトラヒック測定処理フローである。
【図３】呼処理制御部の障害復旧後のトラヒック測定継続準備フロー図である。
【図４】無線基地局装置のブロック図である。
【図５】従来のトラヒック測定フロー図である。
【符号の説明】
【００１４】
１０１  無線基地局装置
１０２  呼処理監視制御部
１０３  呼処理制御部１
１０４  呼処理制御部２
１０５  無線送受信部
１０６  有線制御部
【図１】
2006319825.tif 000003
【図２】
2006319825.tif 000004
【図３】
2006319825.tif 000005
【図４】
2006319825.tif 000006
【図５】
2006319825.tif 000007